(57)【要約】      （修正有）【課題】仮設配管路を簡単且つ迅速に形成することができて工期の大幅な短縮を図れ、また用済み後には、極めて簡単に分解でき、分解後に再利用できるようにした仮設配管ユニット及びこれを用いた仮設配管路を提供する。【解決手段】仮設配管路の縦配管路を形成し、直列状に接続される仮設配管ユニット１であって、合成樹脂製の直線状の管本体１２と、管本体の一端部に突合せ融着Ｆにより接続された合成樹脂製のチーズ１３と、管本体の他端部又はチーズの管本体に接続された反対側の端部の何れか一方に設けた筒状の受け口１４と、管本体の他端部又はチーズの管本体に接続された反対側の端部の何れか他方に設けられ、他の仮設配管ユニットの受け口に気密状態で着脱自在に挿着される筒状の挿し口１５と、チーズのＴ型の突出部１３ａに設けた筒状の分岐口１６と、分岐口の先端部に設けた継手１７と、を備えている。【選択図】図３
2018062944.tif 000002
【特許請求の範囲】
【請求項１】
数階建ての建物（Ｂ）内に敷設されている給水配管路の更新工事や補修工事を行う際に設けられる仮設配管路（Ｌ）の縦配管路（Ｌ２）を形成し、直列状に接続される仮設配管ユニット（１）であって、前記仮設配管ユニット（１）は、合成樹脂製の直線状の管本体（１２）と、管本体（１２）の一端部に突合せ融着（Ｆ）により接続された合成樹脂製のチーズ（１３）と、管本体（１２）の他端部又はチーズ（１３）の管本体（１２）に接続された反対側の端部の何れか一方に設けた筒状の受け口（１４）と、管本体（１２）の他端部又はチーズ（１３）の管本体（１２）に接続された反対側の端部の何れか他方に設けられ、他の仮設配管ユニット（１）の受け口（１４）に気密状態で着脱自在に挿着される筒状の挿し口（１５）と、チーズ（１３）のＴ型の突出部（１３ａ）に設けた筒状の分岐口（１６）と、分岐口（１６）の先端部に設けた継手（１７）と、を備えていることを特徴とする仮設配管ユニット。
【請求項２】
前記受け口（１４）は、合成樹脂製の筒状部材を管本体（１２）の他端部又はチーズ（１３）の管本体（１２）に接続された反対側の端部の何れか一方に突合せ融着（Ｆ）することにより形成され、また、前記挿し口（１５）は、合成樹脂製の筒状部材を管本体（１２）の他端部又はチーズ（１３）の管本体（１２）に接続された反対側の端部の何れか他方に突合せ融着（Ｆ）することにより形成され、更に、前記分岐口（１６）は、合成樹脂製の筒状部材をチーズ（１３）のＴ型の突出部（１３ａ）に突合せ融着（Ｆ）することにより形成されていることを特徴とする請求項１に記載の仮設配管ユニット。
【請求項３】
前記受け口（１４）は、管本体（１２）又はチーズ（１３）の何れか一方に管本体（１２）又はチーズ（１３）と一体的に形成され、また、前記挿し口（１５）は、管本体（１２）又はチーズ（１３）の何れか他方に管本体（１２）又はチーズ（１３）と一体的に形成されていることを特徴とする請求項１に記載の仮設配管ユニット。
【請求項４】
前記仮設配管ユニット（１）の長さは、建物（Ｂ）の階高に合わせた長さに設定されていることを特徴とする請求項１に記載の仮設配管ユニット。
【請求項５】
前記受け口（１４）の先端部に受け口（１４）の基端部よりも大径の受け筒部（１４ａ）を形成し、また、前記挿し口（１５）の先端部に前記受け筒部（１４ａ）に気密状態で着脱自在に挿着される挿し筒部（１５ａ）を形成し、前記受け筒部（１４ａ）の内周面又は前記挿し筒部（１５ａ）の外周面の何れか一方に、Ｏリング（１８）が嵌め込まれる環状のＯリング溝を一つ又は複数列形成し、前記Ｏリング溝にシール用のＯリング（１８）を嵌め込んだことを特徴とする請求項１、請求項２又は請求項３に記載の仮設配管ユニット。
【請求項６】
前記受け口（１４）の受け筒部（１４ａ）の内周縁部をテーパ面（１４ｂ）に形成すると共に、前記挿し口（１５）の挿し筒部（１５ａ）の外周縁部に面取り（１５ｃ）を施したことを特徴する請求項５に記載の仮設配管ユニット。
【請求項７】
前記受け口（１４）の受け筒部（１４ａ）の外周面及び前記挿し口（１５）の挿し筒部（１５ａ）に隣接する外周面に、二つ割り状のハウジング形の管継手（８）により覆われて突き合せ状態で密着状に締め付け固定される環状の鍔部（１４ｃ），（１５ｄ）をそれぞれ形成したことを特徴とする請求項５又は請求項６に記載の仮設配管ユニット。
【請求項８】
前記受け口（１４）の鍔部（１４ｃ）の外側端面又は前記挿し口（１５）の鍔部（１５ｄ）の外側端面のうち、少なくとも何れか一方に受け口（１４）と挿し口（１５）を引き離すための工具が差し込まれる分離用溝を形成したことを特徴とする請求項７に記載の仮設配管ユニット。
【請求項９】
数階建ての建物（Ｂ）内に敷設されている給水配管路の更新工事や補修工事を行う際に設けられ、少なくとも縦配管路（Ｌ２）を備えた仮設配管路（Ｌ）であって、前記仮設配管路（Ｌ）の縦配管路（Ｌ２）は、少なくとも請求項１〜請求項８の何れかに記載の複数の仮設配管ユニット（１）と、仮設配管ユニット（１）の受け口（１４）と他の仮設配管ユニット（１）の挿し口（１５）又は仮設配管ユニット（１）の挿し口（１５）と他の仮設配管ユニット（１）の受け口（１４）に装着され、仮設配管ユニット（１）同士を直列状に接続する二つ割り状のハウジング形の管継手（８）と、を備えていることを特徴とする仮設配管路。
【請求項１０】
前記ハウジング形の管継手（８）は、仮設配管ユニット（１）の受け口（１４）の端部と他の仮設配管ユニット（１）の挿し口（１５）の端部又は仮設配管ユニット（１）の挿し口（１５）の端部と他の仮設配管ユニット（１）の受け口（１４）の端部に覆い被される一対の半円状ハウジング（１９′），（１９′）から成る二つ割りの環状ハウジング（１９）と、一対の半円状ハウジング（１９′），（１９′）の一端部に設けた連結片（１９ａ），（１９ａ）同士を回動自在に連結する連結ピン（２０）と、一方の半円状ハウジング（１９′）の他端部に設けた締め付け片（１９ｂ）に回動自在に設けられ、他方の半円状ハウジング（１９′）の他端部に設けた二股状の締め付け片（１９ｂ）間に挿通されるボルト（２２ａ）及び当該ボルト（２２ａ）に螺着されて二股状の締め付け片（１９ｂ）に面接触状態で緊密に係止されるナット（２２ｂ）から成る緊締具（２２）と、を備えており、前記二股状の締め付け片（１９ｂ）のナット（２２ｂ）に係止される面を、外方向へ向うに従って上り傾斜状の傾斜面（１９ｃ）に形成したことを特徴とする請求項９に記載の仮設配管路。
【請求項１１】
前記仮設配管路（Ｌ）の縦配管路（Ｌ２）は、仮設配管ユニット（１）に着脱自在に接続される止水栓（５）を更に備えており、前記止水栓（５）は、仮設配管ユニット（１）の挿し口（１５）に気密状態で着脱自在に挿着される筒状の受け口（２３′）と、他の仮設配管ユニット（１）の受け口（１４）に気密状態で着脱自在に挿着される筒状の挿し口（２７′）とを備え、止水栓（５）の受け口（２３′）と仮設配管ユニット（１）の挿し口（１５）又は止水栓（５）の挿し口（２７′）と他の仮設配管ユニット（１）の受け口（１４）がハウジング形の管継手（８）で接続されることを特徴とする請求項９に記載の仮設配管路。
【請求項１２】
前記仮設配管路（Ｌ）の縦配管路（Ｌ２）は、一端部が仮設配管ユニット（１）の分岐口（１６）の先端部に設けた継手（１７）に着脱自在に接続され、他端部が建物（Ｂ）内の各住戸の水道メーター（Ｍ）やメーターユニットに着脱自在に接続される可撓性の給水ホース（１１）を更に備えていることを特徴とする請求項９に記載の仮設配管路。
【発明の詳細な説明】
【技術分野】
【０００１】
本発明は、マンション等の集合住宅、学校、病院、ビル等の数階建ての建物内に敷設されている給水配管路（上水道管路）の更新工事や補修工事等を行う際に用いられる仮設配管ユニット及びこれを用いた仮設配管路に係り、特に、仮設配管路の縦配管路を形成する仮設配管ユニットに改良を加えることによって、仮設配管路を簡単且つ迅速に形成することができて工期の大幅な短縮を図れ、給水配管路の更新工事や補修工事の際に発生する断水時間を居住者の日常生活に支障のないように極力短くすることができ、また、用済み後には、極めて簡単に仮設配管路を分解できると共に、分解後の仮設配管ユニット等を再利用できるようにした仮設配管ユニット及びこれを用いた仮設配管路に関するものである。
【背景技術】
【０００２】
一般に、マンション等の集合住宅、学校、病院、ビル等の数階建ての建物内に敷設されている給水配管路においては、これを長年使用していると、亜鉛メッキ鋼管等の給水管内に発生した錆等が原因となって赤水の流出、管内のぬめり、バクテリアの発生、流量及び水圧の低下、スケールの発生、スケールの流出等が生じ、水質の悪化や衛生面の問題が生じるうえ、パッキンの劣化による漏水事故等の様々な悪影響が生じて来る。
【０００３】
特に、マンション等の集合住宅においては、水道事業体（水道局）が給水配管路を直接に管理しておらず、通常は管理会社や集合住宅の所有者にその管理が一任されている。そのため、給水配管路の保守管理が不十分になり勝ちとなり、結果として、経年変化による給水管の老朽化が想定以上に進行しており、安全・安心な水供給の要望に対応するため、多くの給水配管路でその更新が必要となって来ている。
【０００４】
また、安全な水に対する需要の高まりから、集合住宅の給水方法をタンク圧送方式から直圧給水方式へ切替えする必要性が増加して来ており、給水方法の切り替えに起因する給水配管路の更新が増加して来ている。
【０００５】
ところで、集合住宅等の屋内に敷設されている給水配管路の更新においては、居住民の生活があるため、長期間、長時間の断水による管路更新は許されない。そのため、従来の給水配管路の更新工事においては、所謂仮設配管路を設ける工法が採用されている（例えば、特許文献１及び特許文献２参照）。
【０００６】
一般に、給水配管路の更新工事に於ける仮設配管路では、鋼管等の金属管に代えて軽量で取扱性に優れたビニル管やポリエチレン管等が広く使用されている。特に、ビニル管を用いて仮設配管路を敷設する場合には、ビニル管同士の接続に接着剤を使用し、永久的な結合を行っている。
【０００７】
しかし、ビニル管を用いた場合、ビニル管同士の接合に時間が掛かるだけでなく、接合完了から水道水の供給開始までに相当の時間を要するという問題があった。
【０００８】
また、仮設配管路の撤去には、永久的な結合を行っているために配管を切断しなければならず、時間と労費を費やすうえ、管の再利用が出来ないために撤去後に仮設配管路の形成部材を全てスクラップ処分する必要があり、省資源や環境保全を図る上で多くの問題を抱えている。
【０００９】
一方、本件出願人は、上述した問題を解決する仮設配管路を開発し、特開２００３−０９７７６６号公報（特許文献３）、特開２００４−１００７７４号公報（特許文献４）及び特開２０１２−１２２２０９号公報（特許文献５）として公開している。
【００１０】
即ち、前記各仮設配管路は、図示していないが、何れもポリエチレン樹脂製の管本体（直管、エルボ、チーズ、異径管、伸縮管等）の両端部又は複数の管本体を接続して形成した仮設配管ユニットの両端部に、それぞれポリエチレン樹脂製の筒状接続部を突合せ融着により接続し、接続する管本体又は仮設配管ユニットの筒状接続部を対向せしめると共に、対向せしめた筒状接続部の先端部外周面に形成した環状の鍔部に環状のパッキンを被せ、前記環状の鍔部及び環状のパッキンを二つ割り状のハウジング形の管継手で抱き込んで締め付け固定し、管本体同士又は仮設配管ユニット同士等を環状のパッキン及びハウジング形の管継手で気密状に接続することにより形成されている。
【００１１】
このように、前記仮設配管路は、管本体同士又は仮設配管ユニット同士等をパッキン及び管継手で気密状に接続することにより形成されるため、仮設配管路を簡単に形成することができて工期の短縮を図れると共に、管継手を外すだけで管本体を簡単に分離することができ、また、仮設配管路の分解時に管本体や仮設配管ユニット、管継手が損傷することが殆どなく、再利用できると言う利点がある。
【００１２】
しかしながら、前記仮設配管路においても、未だ解決すべき問題点が残されている。
【００１３】
即ち、前記仮設配管路においては、管本体同士又は仮設配管ユニット同士を接続する際に予め環状のパッキンを管本体や仮設配管ユニットに嵌めておき、環状のパッキンを突き合せた筒状接続部の両鍔部に均等に被せ、環状のパッキンの幅方向中心位置を突き合せた筒状接続部の鍔部の突き合せ面に合わさなければならないため、管本体や仮設配管ユニットの接続作業に意外と時間が掛ってしまうと言う問題があった。しかも、環状のパッキンの内径が筒状接続部の鍔部の外径よりも小径に形成されているため、パッキンを伸ばして拡げた状態で上述した作業を行わなければならず、管本体や仮設配管ユニットの接続作業により一層時間が掛ることになる。
【００１４】
また、前記仮設配管路においては、管本体同士又は仮設配管ユニット同志をパッキン及び管継手で接続したときにパッキンが管継手に噛み込むことがあり、パッキンのシール性が損なわれて漏水すると言う問題もある。
【００１５】
更に、前記仮設配管路においては、筒状接続部の鍔部が管本体の外周面よりも外方へ出っ張っているため、管本体の取り扱い中において鍔部の外周面に傷や小さな異物（埃や砂、ゴミ等）が極めて付き易く、鍔部に傷や異物が付着した場合には、鍔部の外周面にパッキンを被せてシールしても、シール性が大いに損なわれると言う問題がある。
【先行技術文献】
【特許文献】
【００１６】
【特許文献１】特開平１０−３０６４７２号公報
【特許文献２】特開平１１−１０７３３５号公報
【特許文献３】特開２００３−０９７７６６号公報
【特許文献４】特開２００４−１００７７４号公報
【特許文献５】特開２０１２−１２２２０９号公報
【発明の概要】
【発明が解決しようとする課題】
【００１７】
本発明は、このような問題点に鑑みて為されたものであり、その目的は、仮設配管路を簡単且つ迅速に形成することができて工期の大幅な短縮を図れ、給水配管路の更新工事や補修工事の際に発生する断水時間を居住者の日常生活に支障のないように極力短くすることができ、また、形成した仮設配管路はシール性にも優れ、更に、用済み後には、極めて簡単に仮設配管路を分解できると共に、分解後の仮設配管ユニット等を再利用できるようにした仮設配管ユニット及びこれを用いた仮設配管路を提供することにある。
【課題を解決するための手段】
【００１８】
上記目的を達成するために、本発明に係る仮設配管ユニットは、数階建ての建物内に敷設されている給水配管路の更新工事や補修工事を行う際に設けられる仮設配管路の縦配管路を形成し、直列状に接続される仮設配管ユニットであって、前記仮設配管ユニットは、合成樹脂製の直線状の管本体と、管本体の一端部に突合せ融着により接続された合成樹脂製のチーズと、管本体の他端部又はチーズの管本体に接続された反対側の端部の何れか一方に設けた筒状の受け口と、管本体の他端部又はチーズの管本体に接続された反対側の端部の何れか他方に設けられ、他の仮設配管ユニットの受け口に気密状態で着脱自在に挿着される筒状の挿し口と、チーズのＴ型の突出部に設けた筒状の分岐口と、分岐口の先端部に設けた継手と、を備えていることに特徴がある。
【００１９】
前記受け口は、合成樹脂製の筒状部材を管本体の他端部又はチーズの管本体に接続された反対側の端部の何れか一方に突合せ融着することにより形成され、また、前記挿し口は、合成樹脂製の筒状部材を管本体の他端部又はチーズの管本体に接続された反対側の端部の何れか他方に突合せ融着することにより形成され、更に、前記分岐口は、合成樹脂製の筒状部材をチーズのＴ型の突出部に突合せ融着することにより形成されていることが好ましい。
【００２０】
前記受け口は、管本体又はチーズの何れか一方に管本体又はチーズと一体的に形成され、また、前記挿し口は、管本体又はチーズの何れか他方に管本体又はチーズと一体的に形成されていることが好ましい。
【００２１】
前記仮設配管ユニットの長さは、建物の階高に合わせた長さに設定されていることが好ましい。
【００２２】
前記受け口の先端部に受け口の基端部よりも大径の受け筒部を形成し、また、前記挿し口の先端部に前記受け筒部に気密状態で着脱自在に挿着される挿し筒部を形成し、前記受け筒部の内周面又は前記挿し筒部の外周面の何れか一方に、Ｏリングが嵌め込まれる環状のＯリング溝を一つ又は複数列形成し、前記Ｏリング溝にシール用のＯリングを嵌め込むことが好ましい。
【００２３】
前記受け口の受け筒部の内周縁部をテーパ面に形成すると共に、前記挿し口の挿し筒部の外周縁部に面取りを施すことが好ましい。
【００２４】
前記受け口の受け筒部の外周面及び前記挿し口の挿し筒部に隣接する外周面に、二つ割り状のハウジング形の管継手により覆われて突き合せ状態で密着状に締め付け固定される環状の鍔部をそれぞれ形成することが好ましい。
【００２５】
前記受け口の鍔部の外側端面又は前記挿し口の鍔部の外側端面のうち、少なくとも何れか一方に受け口と挿し口を引き離すための工具が差し込まれる分離用溝を形成することが好ましい。
【００２６】
また、上記目的を達成するために、本発明に係る仮設配管路は、数階建ての建物内に敷設されている給水配管路の更新工事や補修工事を行う際に設けられ、少なくとも縦配管路を備えた仮設配管路であって、前記仮設配管路の縦配管路は、少なくとも上述した本発明に係る複数の仮設配管ユニットと、仮設配管ユニットの受け口と他の仮設配管ユニットの挿し口又は仮設配管ユニットの挿し口と他の仮設配管ユニットの受け口に装着され、仮設配管ユニット同士を直列状に接続する二つ割り状のハウジング形の管継手とを備えていることに特徴がある。
【００２７】
前記ハウジング形の管継手は、仮設配管ユニットの受け口の端部と他の仮設配管ユニットの挿し口の端部又は仮設配管ユニットの挿し口の端部と他の仮設配管ユニットの受け口の端部に覆い被される一対の半円状ハウジングから成る二つ割りの環状ハウジングと、一対の半円状ハウジングの一端部に設けた連結片同士を回動自在に連結する連結ピンと、一方の半円状ハウジングの他端部に設けた締め付け片に回動自在に設けられ、他方の半円状ハウジングの他端部に設けた二股状の締め付け片間に挿通されるボルト及び当該ボルトに螺着されて二股状の締め付け片に面接触状態で緊密に係止されるナットから成る緊締具とを備えており、前記二股状の締め付け片のナットに係止される面を、外方向へ向うに従って上り傾斜状の傾斜面に形成することが好ましい。
【００２８】
前記仮設配管路の縦配管路は、仮設配管ユニットに着脱自在に接続される止水栓を更に備えており、前記止水栓は、仮設配管ユニットの挿し口に気密状態で着脱自在に挿着される筒状の受け口と、他の仮設配管ユニットの受け口に気密状態で着脱自在に挿着される筒状の挿し口とを備え、止水栓の受け口と仮設配管ユニットの挿し口又は止水栓の挿し口と他の仮設配管ユニットの受け口がハウジング形の管継手で接続されることが好ましい。
【００２９】
前記仮設配管路の縦配管路は、一端部が仮設配管ユニットの分岐口の先端部に設けた継手に着脱自在に接続され、他端部が建物内の各住戸の水道メーターやメーターユニットに着脱自在に接続される可撓性の給水ホースを更に備えていることが好ましい。
【発明の効果】
【００３０】
本発明によれば、合成樹脂製の直線状の管本体やチーズ等を直列状に接続して成る仮設配管ユニットの一端部に受け口を設けると共に、仮設配管ユニットの他端部に挿し口を設けているため、仮設配管ユニットの受け口に他の仮設配管ユニットの挿し口を、また、仮設配管ユニットの挿し口に更に他の仮設配管ユニットの受け口をそれぞれ挿し込み、受け口及び挿し口にハウジング形の管継手を装着するだけで、仮設配管ユニットを直列状に順次接続することができる。その結果、本発明によれば、従来のように管本体同士又は仮設配管ユニット同士を環状のパッキン及びハウジング形の管継手で接続するようにした仮設配管路に比較して仮設配管路の縦配管路を簡単且つ迅速に形成できて高能率で建物に敷設することができ、工期の短縮及びコストの低減を図れる。
【００３１】
また、本発明によれば、仮設配管ユニットの長さが、建物の階高に合わせた長さに設定されているため、仮設配管ユニットを建物の各階に一つずつ確実に配置することができ、仮設配管ユニットの分岐口と各住戸の水道メーター又はメーターユニットとの接続を行い易くなる。
【００３２】
更に、本発明によれば、仮設配管ユニットの受け口の先端部に形成した受け筒部の内周面又は仮設配管ユニットの挿し口の先端部に形成した挿し筒部の外周面の何れか一方に、環状のＯリング溝を一つ又複数列形成し、前記Ｏリング溝にシール用のＯリングを嵌め込み、受け口と挿し口との間をＯリングによりシールするようにしているため、従来の仮設配管路のように環状のパッキンが管継手に噛み込んでパッキンのシール性が損なわれると言うことがなく、シール性に優れたものとなる。特に、Ｏリング溝を複数列形成し、各Ｏリング溝にＯリングを嵌め込んだ場合には、より一層シール性に優れたものとなる。また、挿し筒部の外周面にＯリングを装着している場合には、環状の鍔部の方が挿し筒部の外周面よりも外方へ出っ張っているので、仮設配管ユニットの取り扱い中において挿し筒部の外周面及びＯリングに傷や異物が極めて付き難くなり、シール性が損なわれるのを防止することができる。更に、受け筒部の内周面にＯリングを装着している場合には、Ｏリングに傷や異物がより一層付き難くなる。
【００３３】
更に、本発明によれば、仮設配管ユニットの受け口の先端部に受け口の基端部よりも大径の受け筒部を形成すると共に、受け筒部の内周縁部をテーパ面に形成し、また、挿し筒部の外周縁部に面取りを施しているため、受け口への挿し口の挿着を簡単且つ容易に行え、接続作業時間の短縮を図れる。
【００３４】
更に、本発明によれば、ハウジング形の管継手を外し、仮設配管ユニットの挿し口を他の仮設配管ユニットの受け口から引き抜くだけで仮設配管ユニットを簡単に分離することができ、用済み後の仮設配管路の取り外しを容易に行えると共に、取り外し時に各仮設配管ユニット及び管継手等の各部材が損傷することが殆んどなく、その結果、仮設配管ユニット及び管継手等の各部材の再利用率が大幅に向上し、所謂循環型社会の実現に向けて大きな貢献をすることができる。しかも、仮設配管ユニットは、合成樹脂性製（ポリエチレン樹脂製）であるため、耐久性に富み、仮設配管作業時の乱暴な取り扱いによっても、仮設配管ユニットに傷みの出ることが少なく、再使用回数を増すことができ、経済的である。また、合成樹脂性製（ポリエチレン樹脂製）であるので、素材のリサイクルがほぼ１００％可能で、資源節約に貢献できる。
【００３５】
更に、本発明によれば、仮設配管ユニットの受け筒部の鍔部の外側端面又は前記挿し筒部の鍔部の外側端面のうち、少なくとも何れか一方に受け口と挿し口を引き離すための工具（例えば、マイナスドライバー）が差し込まれる分離用溝を形成しているため、仮設配管ユニットの受け口に他の仮設配管ユニットの挿し口が強固に挿着されていても、前記分離用溝にマイナスドライバー等の工具を差し込むことにより受け口と挿し口を簡単に分離することができる。
【００３６】
更に、本発明によれば、仮設配管ユニット同士又は仮設配管ユッニと分水栓等を接続するハウジング形の管継手が、一対の半円状ハウジングから成る二つ割りの環状ハウジングと、一対の半円状ハウジングの一端部に設けた連結片同士を回動自在に連結する連結ピンと、一方の半円状ハウジングの他端部に設けた締め付け片に回動自在に設けられ、他方の半円状ハウジングの他端部に設けた二股状の締め付け片間に挿通係止されるボルト及び当該ボルトに螺着されて二股状の締め付け片に面接触状態で緊密に係止されるナットから成る緊締具とを備えており、前記二股状の締め付け片のナットに係止される面を、外方向へ向うに従って上り傾斜状の係止面に形成しているため、ナットがボルトに対して緩み、ボルトが二股状の締め付け片間から抜ける方向へ回動しようとしても、ナットが締め付け片の係止面に係止されてボルトが回動するのを防止することができ、その結果、環状ハウジングが開放されて仮設配管ユニットから外れるのを阻止することができる。
【００３７】
更に、本発明によれば、仮設配管ユニットに接続される止水栓が、仮設配管ユニットの挿し口に気密状態で着脱自在に挿着される筒状の受け口と、他の仮設配管ユニットの受け口が気密状態で着脱自在に挿着される筒状の挿し口とを備えているため、仮設移管ユニットに簡単且つ迅速に接続することができる。
【００３８】
更に、本発明によれば、仮設配管ユニットの分岐口の先端部に設けた継手と建物内の各住戸の水道メーターやメーターユニットに着脱自在に接続される可撓性の給水ホースを備えているため、仮設配管ユニットと水道メーター等との接続を簡単且つ迅速に行える。
【図面の簡単な説明】
【００３９】
【図１】本発明の実施形態に係る仮設配管ユニットを用いた仮設配管路をマンション等の集合住宅の建物に設けた一例を示す配管割図である。
【図２】仮設配管ユニットの正面図である。
【図３】仮設配管ユニットの一部省略拡大縦断正面図である。
【図４】仮設配管ユニットの拡大底面図である。
【図５】仮設配管ユニットの他の例を示す正面図である。
【図６】仮設配管ユニットの更に他の例を示す一部省略拡大縦断正面図である。
【図７】ハウジング形の管継手の斜視図である。
【図８】ハウジング形の管継手の縦断正面図である。
【図９】ハウジング形の管継手の縦断側面図である。
【図１０】止水栓の正面図である。
【図１１】止水栓の縦断正面図である。
【図１２】複数の仮設配管ユニットをハウジング形の管継手により直列状に接続した状態の一部省略縦断正面図である。
【図１３】仮設配管ユニット同士を接続した状態を示す要部の拡大図である。
【図１４】仮設配管ユニット同士を接続した状態を示す要部の拡大断面図である。
【図１５】止水栓を仮設配管ユニット間に介設し、ハウジング形の管継手により仮設配管ユニットに接続した状態の一部省略正面図である。
【図１６】止水栓を仮設配管ユニット間に介設し、ハウジング形の管継手により仮設配管ユニットに接続した状態の一部省略断面図である。
【図１７】仮設配管路を形成する各部材を示し、（ａ）は受け口及び挿し口を設けた直管の正面図、（ｂ）は受け口及び挿し口を設けたエルボの正面図、（ｃ）は受け口及び挿し口を設けたチーズの正面図、（ｄ）は受け口及び挿し口を設けたフレキシブル継手の正面図、（ｅ）は受け口及び挿し口を設けたレジューサーの正面図、（ｆ）は受け口を設けたエンドキャップの正面図である。
【図１８】本発明の実施形態に係る仮設配管ユニットを用いた仮設配管路をマンション等の集合住宅の建物に設けた他の例を示す配管割図である。
【発明を実施するための形態】
【００４０】
以下、本発明の実施形態を図面に基づいて詳細に説明する。
図１は本発明の実施形態に係る仮設配管ユニット１を用いた仮設配管路Ｌをマンション等の集合住宅に設けた一例を示す配管割図であり、前記仮設配管路Ｌは、集合住宅等の建物Ｂ内に敷設されている既設の給水配管路（上水道管路）の更新工事や補修工事を行う際に、建物Ｂに敷設して長時間断水することなく給水配管路の更新工事や補修工事を行えるようにしたものであり、ポンプ又はタンク（何れも図示省略）に接続されている既設の水道管Ｗに接続されて建物Ｂの屋上に配設された仮設の屋上配管路Ｌ１と、仮設の屋上配管路Ｌ１に接続されて建物Ｂの屋上から最下部のフロアまで配設された複数の仮設の縦配管路Ｌ２と、を備えている。
【００４１】
尚、仮設の縦配管路Ｌ２は、建物Ｂに設けたパイプシャフト内（パイプスペース内）に配設したり、或いは、パイプシャフト内に設置スペースがない場合には、更新工事や補修工事の期間中だけ建物Ｂのベランダの外側等に縦向きに配設する。
【００４２】
前記仮設の屋上配管路Ｌ１は、直管２、エルボ３、チーズ４（同径チーズ又は異径チーズ）、止水栓５（ボールバルブ）、フレキシブル継手６、レジューサー７、ハウジング形の管継手８等を備えており、前記各部材２〜７を図１に示すようにハウジング形の管継手８で順次接続することにより形成されている。この仮設の屋上配管路Ｌ１は、最も上流側に位置する部材、この例では直管２がＶＳ継手９を介してポンプ又はタンク（何れも図示省略）に接続されている既設の水道管Ｗに接続されており、既設の水道管Ｗから水道水が流入するようになっている。
【００４３】
一方、前記仮設の縦配管路Ｌ２は、仮設配管ユニット１、直管２、エルボ３、止水栓５（ボールバルブ）、レジューサー７、ハウジング形の管継手８、エンドキャップ１０、給水ホース１１等を備えており、前記各部材１，２，３，５，７，１０（給水ホース１１を除く）を図１に示すようにハウジング形の管継手８で直列状に接続すると共に、各仮設配管ユニット１と建物Ｂ内の各住戸の水道メーターＭ（又はメーターユニット）とを給水ホース１１で接続することにより形成されている。この仮設の縦配管路Ｌ２は、最も上流側に位置する部材、この例では止水栓５又はレジューサー７がハウジング形の管継手８を介して仮設の屋上配管路Ｌ１のチーズ４に接続されており、仮設の屋上配管路Ｌ１から水道水が流入するようになっている。
【００４４】
前記仮設配管ユニット１は、図２及び図３に示す如く、合成樹脂製の直線状の管本体１２と、管本体１２の一端部に突合せ融着Ｆにより接続された合成樹脂製のチーズ１３と、管本体１２の他端部又はチーズ１３の管本体１２に接続された反対側の端部の何れか一方に設けた筒状の受け口１４と、管本体１２の他端部又はチーズ１３の管本体１２に接続された反対側の端部の何れか他方に設けられ、他の仮設配管ユニット１の受け口１４に気密状態で着脱自在に挿着される筒状の挿し口１５と、チーズ１３のＴ型の突出部１３ａに設けた筒状の分岐口１６と、分岐口１６の先端部に設けた継手１７と、を備えており、前記受け口１４に他の仮設配管ユニット１の挿し口１５が、また、前記挿し口１５に更に他の仮設配管ユニット１の受け口１４がそれぞれ気密状態で着脱自在に挿着されて直列状に接続される構成となっている。この仮設配管ユニット１の受け口１４及び挿し口１５には、他の仮設配管ユニット１の他に、単体部材である直管２、エルボ３、チーズ４、止水栓５、フレキシブル継手６、レジューサー７、エンドキャップ１０等がハウジング形の管継手８を介して着脱自在に接続される構成となっている。
【００４５】
前記受け口１４は、合成樹脂製の筒状部材を管本体１２の他端部又はチーズ１３の管本体１２に接続された反対側の端部の何れか一方に突合せ融着Ｆすることにより形成され、また、前記挿し口１５は、合成樹脂製の筒状部材を管本体１２の他端部又はチーズ１３の管本体１２に接続された反対側の端部の何れか他方に突合せ融着Ｆすることにより形成され、更に、前記分岐口１６は、合成樹脂製の筒状部材をチーズ１３のＴ字型の突出部１３ａに突合せ融着Ｆすることにより形成されている。
【００４６】
この実施形態においては、前記仮設配管ユニット１は、管本体１２、チーズ１３、受け口１４、挿し口１５及び分岐口１６が何れもポリエチレン樹脂材により形成されており、管本体１２の一端部（図２及び図３に示す管本体１２の上端部）にチーズ１３を、また、チーズ１３の管本体１２に接続された反対側の端部（チーズ１３の上端部）に受け口１４を、更に、管本体１２の他端部（図２及び図３に示す管本体１２の下端部）に挿し口１５を、そして、チーズ１３のＴ型の突出部１３ａに継手１７を設けた分岐口１６をそれぞれ突合せ融着Ｆにより接続することにより形成されている。
【００４７】
また、前記仮設配管ユニット１は、その長さ（高さ）が建物Ｂの階高に合わせた長さに設定されており、各仮設配管ユニット１を縦向きに接続して建物Ｂのパイプシャフト内やベランダの外側等に配設したときに、仮設配管ユニット１が建物Ｂの各階に一つずつ確実に配置され、仮設配管ユニット１の分岐口１６の位置が必ず各階の床面と直ぐ上の床面との間に位置するようにしている。
【００４８】
この実施形態においては、仮設配管ユニット１の長さ（高さ）は、２６００ｍｍ〜２８００ｍｍにそれぞれ設定されている。
【００４９】
更に、前記受け口１４の先端部には、受け口１４の基端部よりも大径の受け筒部１４ａが一体的に形成され、また、前記挿し口１５の先端部には、他の仮設配管ユニット１の受け口１４の受け筒部１４ａに気密状態で着脱自在に挿着される挿し筒部１５ａが一体的に形成されており、前記受け筒部１４ａの内周面又は前記挿し筒部１５ａの外周面の何れか一方には、Ｏリング１８が嵌め込まれる環状のＯリング溝が一つ又は複数列形成されている。
【００５０】
この実施形態においては、図３、図１２及び図１４に示す如く、挿し筒部１５ａの外周面に環状のＯリング溝１５ｂを二列形成し、両Ｏリング溝１５ｂにＯリング１８を嵌め込み、受け口１４の受け筒部１４ａの内周面と挿し口１５の挿し筒部１５ａの外周面との間をＯリング１８によりシールするようにしている。
【００５１】
更に、前記受け口１４の受け筒部１４ａの内周縁部には、内方へ行くに従って漸次縮径するテーパ面１４ｂが形成され、また、前記挿し口１５の挿し筒部１５ａの外周縁部には、面取り１５ｃが施されており、仮設配管ユニット１の受け口１４と他の仮設配管ユニット１の挿し口１５の挿着を簡単且つ容易に行えるようにしている。
【００５２】
更に、前記受け口１４の受け筒部１４ａの外周面と挿し口１５の挿し筒部１５ａに隣接する外周面とには、図１２及び図１４に示す如く、二つ割り状のハウジング形の管継手８により覆われて突き合せ状態で密着状に締め付け固定される環状の鍔部１４ｃ，１５ｄがそれぞれ形成されている。
【００５３】
更に、前記受け口１４の受け筒部１４ａの鍔部１４ｃの外側端面又は挿し口１５の挿し筒部１５ａの鍔部１５ｄの外側端面のうち、少なくとも何れか一方には、突き合せ状に挿着された受け口１４と挿し口１５を引き離すための工具（マイナスドライバ等）が差し込まれる分離用溝が一つ又は複数形成されている。
【００５４】
この実施形態においては、図４及び図１４に示す如く、挿し口１５に形成した挿し筒部１５ａの鍔部１５ｄの外側端面に、二つの分離用溝１５ｅを１８０度間隔で形成している。
【００５５】
そして、前記仮設配管ユニット１の分岐口１６に設けた継手１７は、図３に示す如く、分岐口１６の先端部に挿着されて止めナット１７ａにより抜け止めされた筒状の本体１７ｂと、本体１７ｂに回転自在且つ軸線方向へ移動自在に外嵌されたユニオンナット１７ｃとを備えており、従来公知の金属製のユニオン継手と同様構造に構成されている。
【００５６】
尚、上記の実施形態においては、チーズ１３の端部に筒状の受け口１４を設けると共に、管本体１２の他端部に筒状の挿し口１５を設けるようにしたが、他の実施形態においては、図５に示す如く、チーズ１３の端部に筒状の挿し口１５を設けると共に、管本体１２の他端部に筒状の受け口１４を設けるようにしても良い。
【００５７】
また、上記の実施形態においては、受け口１４及び挿し口１５は、ポリエチレン樹脂製の筒状部材をチーズ１３及び管本体１２にそれぞれ突合せ融着Ｆすることにより形成したが、他の実施形態においては、図６に示す如く、受け口１４をチーズ１３（又は管本体１２）と一体的に形成すると共に、挿し口１５を管本体１２（又はチーズ１３）と一体的に形成するようにしても良い。
【００５８】
更に、上記の実施形態においては、挿し筒部１５ａの外周面に環状のＯリング溝１５ｂを二列形成するようにしたが、他の実施形態においては、図示していないが、挿し筒部１５ａの外周面に環状のＯリング溝１５ｂを一つだけ形成しても良く、或いは、受け筒部１４ａの内周面に環状のＯリング溝を一つ又は複数列形成するようにしても良い。
【００５９】
加えて、上記の実施形態においては、挿し筒部１５ａの鍔部１５ｄの外側端面にマイナスドライバー等の工具が差し込まれる分離用溝１５ｅを形成するようにしたが、他の実施形態においては、図示していないが、受け筒部１４ａの鍔部１４ｃの外側端面に分離用溝を一つ又は複数形成しても良く、或いは、受け筒部１４ａの鍔部１４ｃの外側端面及び挿し筒部１５ａの鍔部１５ｄの外側端面の両方に分離用溝を一つ又は複数形成するようにしても良い。
【００６０】
前記ハウジング形の管継手８は、仮設配管ユニット１同士を直列状に接続したり、また、仮設配管ユニット１と止水栓５、仮設配管ユニット１と単体部材２，３，４，７，１０、或いは、単体部材２，３，４，７，１０同志等をそれぞれ着脱自在に接続するものである。
【００６１】
即ち、ハウジング形の管継手８は、図７〜図９、図１２〜図１４に示す如く、例えば仮設配管ユニット１の受け口１４と他の仮設配管ユニット１の挿し口１５の両鍔部１４ｃ，１５ｄ又は仮設配管ユニット１の挿し口１５と他の仮設配管ユニット１の受け口１４の両鍔部１５ｄ，１４ｃ等に覆い被されるポリエチレン樹脂材により形成された一対の半円状ハウジング１９′，１９′から成る二つ割りの環状ハウジング１９と、一方の半円状ハウジング１９′の一端部に設けた連結片１９ａと他方の半円状ハウジング１９′の一端部に設けた二股状の連結片１９ａとを回動自在に連結する連結ピン２０と、一方の半円状ハウジング１９′の他端部に設けた二股状の締め付け片１９ｂに取り付けピン２１を介して回動自在に設けられ、他方の半円状ハウジング１９′の他端部に設けた二股状の締め付け片１９ｂ間に挿通されるボルト２２ａ及び当該ボルト２２ａに螺着されて二股状の締め付け片１９ｂに面接触状態で係止されるナット２２ｂから成る緊締具２２とを備えている。
【００６２】
また、ハウジング形の管継手８は、図８に示す如く、半円状ハウジング１９′の二股状の締め付け片１９ｂのナット２２ｂに係止される面が、外方向へ向うに従って上り傾斜状の傾斜面１９ｃに形成されており、ナット２２ｂがボルト２２ａに対して緩み、ボルト２２ａが二股状の締め付け片１９ｂ間から抜ける方向へ回動しようとしても、ナット２２ｂが締め付け片１９ｂの傾斜面１９ｃに係止され、ボルト２２ａが回動するのを防止できるようにしている。
【００６３】
前記止水栓１１は、例えば仮設配管ユニット１の受け口１７に気密状態で着脱自在に挿着される筒状の挿し口２９′と、他の仮設配管ユニット１の挿し口１８に気密状態で着脱自在に挿着される筒状の受け口２６′とを備えており、ハウジング形の管継手１０により仮設配管ユニット１や単体部材２，３，４，７，１０等に接続されるようになっている。
【００６４】
即ち、止水栓５は、図１０、図１１、図１５及び図１６に示す如く、仮設配管ユニット１の挿し口１５が気密状態で着脱自在に挿着される筒状の受け口２３′を有する金属製の本体胴２３と、本体胴２３内にシート２４を介して気密状に回転自在に収容された通水孔２５ａを有する金属製のボール２５と、本体胴２３の受け口２３′と反対側の端部にＯリング２６を介して螺着され、仮設配管ユニット１の受け口１４に気密状態で着脱自在に挿着される筒状の挿し口２７′を有する金属製の筒状のボール押え２７と、本体胴２３にＯリング２８を介して回転自在に挿通されてボール２５を回転操作する金属製の弁棒２９と、本体胴２３に螺着されて弁棒２９を抜け止めする金属製の弁棒押え３０とを備えており、ボールバルブ構造に構成されている。
【００６５】
前記止水栓５の受け口２３′の内周縁部には、仮設配管ユニット１の挿し口１５の挿着を簡単且つ容易に行えるように、受け口２３′の内方へ行くに従って漸次縮径するテーパ面２３ａが形成され、また、前記止水栓５の受け口２３′の外周面には、ハウジング形の管継手８で覆われて仮設配管ユニット１の挿し口１５に形成した環状の鍔部１５ｄと一緒に締め付け固定される環状の鍔部２３ｂが形成されている。
【００６６】
更に、前記止水栓５の挿し口２７′の外周縁部には、仮設配管ユニット１の受け口１４への挿し口２７′の挿着を簡単且つ容易に行えるように、面取り２７ａが施され、また、前記止水栓５の挿し口２７′の外周面には、環状のＯリング溝２７ｂが二列形成され、各Ｏリング溝２７ｂにＯリング３１が嵌め込まれている。
【００６７】
そして、前記止水栓５のボール押え２７の挿し口２７′に隣接する外周面には、ハウジング形の管継手８で覆われて仮設配管ユニット１の受け口１４に形成した環状の鍔部１４ｃと一緒に締め付け固定される環状の鍔部２７ｃが形成されている。
【００６８】
尚、上記の実施形態においては、止水栓５の挿し口２７′の外周面に環状のＯリング溝２７ｂを二列形成するようにしたが、他の実施形態においては、図示していないが、挿し口２７′の外周面に環状のＯリング溝２７ｂを一つだけ形成しても良く、或いは、止水栓５の受け口２３′の内周面に環状のＯリング溝を一つ又は複数列形成するようにしても良い。
【００６９】
前記給水ホース１１は、各仮設配管ユニット１と建物Ｂ内の各住戸の水道メーターＭ（又はメーターユニット）とを接続するものであり、屈曲自在なフレキシブル管と、フレキシブル管の一端部に設けられて仮設配管ユニット１の継手１７に着脱自在に接続される継手部と、フレキシブル管の他端部に設けられて水道メーターＭ（又はメーターユニット）に着脱自在に接続される継手部とを備えている。
【００７０】
尚、図１７（ａ）〜（ｅ）に示す如く、仮設の屋上配管路Ｌ１を形成する直管２、エルボ３、チーズ４、フレキシブル継手６、レジューサー７等の各部材の入口側端部及び出口側端部の何れか一方には、仮設配管ユニット１の受け口１４と同様構造の受け口１４が設けられていると共に、各部材の入口側端部及び出口側端部の何れか他方には、仮設配管ユニット１の挿し口１５と同様構造の挿し口１５が設けられている。図１７（ｃ）に示すチーズ４においては、仮設配管ユニット１のチーズ１３と同様にチーズ４のＴ型の突出部４ａに継手１７′を備えた分岐口１６′を設けているが、分岐口１６′に替えてチーズ４のＴ型の突出部４ａに仮設配管ユニット１の受け口１４又は挿し口１５と同様構造の受け口１４又は挿し口１５を設けるようにしても良い（図示省略）。
【００７１】
また、図１７（ａ），（ｂ），（ｅ），（ｆ）に示す如く、仮設の縦配管路Ｌ２を形成する直管２、エルボ３、レジューサー７、エンドキャップ１０等の各部材にも、仮設配管ユニット１の受け口１４及び挿し口１５と同様構造の受け口１４及び挿し口１５が設けられている。図１７（ｆ）に示すエンドキャップ１０においては、エンドキャップ１０の開放側端部に受け口１４を設けているが、エンドキャップ１０の開放側端部に挿し口１５を設けても良い（図示省略）。
【００７２】
従って、仮設の屋上配管路Ｌ１及び仮設の縦配管路Ｌ２を形成する単体部材である前記各部材２，３，４，６，７，１０も、図７に示すハウジング形の管継手８により着脱自在に接続されると共に、仮設配管ユニット１や止水栓５にも着脱自在に接続されることになる。
【００７３】
而して、上述した仮設の屋上配管路Ｌ１は、直管２、エルボ３、チーズ４、止水栓５、フレキシブル継手６及びレジューサー７等をハウジング形の管継手８で順次接続することにより形成される。この仮設の屋上配管路Ｌ１は、ポンプ又はタンク（何れも図示省略）に接続されている既設の水道管ＷにＶＳ継手９を介して接続されており、既設の水道管Ｗから水道水が流入するようになっている。
【００７４】
また、上述した仮設の縦配管路Ｌ２は、仮設配管ユニット１、直管２、エルボ３、止水栓５、レジューサー７及びエンドキャップ１０等をハウジング形の管継手８で順次接続すると共に、各仮設配管ユニット１の継手１７と建物Ｂの各住戸の水道メーターＭ（又はメーターユニット）とを給水ホース１１でそれぞれ接続することにより形成される。この仮設の縦配管路Ｌ２は、最も上流側に位置する止水栓５やレジューサー７がハウジング形の管継手８を介して仮設の屋上配管路Ｌ１のエルボ３に接続されており、仮設の屋上配管路Ｌ１から水道水が流入するようになっている。
【００７５】
前記仮設の縦配管路Ｌ２を形成する仮設配管ユニット１、直管２、エルボ３、止水栓５、レジューサー７及びエンドキャップ１０等の各部材は、各部材の挿し口１５，２７′に設けたＯリング１８，３１に滑剤を塗布し、滑剤を塗布した挿し口１５，２７′を他の部材の受け口１４，２３′にＯリング１８，３１を介して気密状に挿し込み、受け口１４，２３′及び挿し口１５，２７′の外周面に形成した環状の鍔部１４ｃ，１５ｄ，２３ｂ，２７ｃをハウジング形の管継手８の環状ハウジング１９で覆い、緊締具２２のボルト２２ａを半円状ハウジング１９′の二股状の締め付け片１９ｂ間に挿通し、ボルト２２ａに螺着したナット２２ｂを締め込んで一対の半円状ハウジング１９′の締め付け片１９ｂ，１９ｂ同志を締め付け固定することにより気密状に接続される。
【００７６】
また、図示していないが、仮設の屋上配管路Ｌ１及び仮設の縦配管路Ｌ２は、何れも固定金具や支持金具等により建物Ｂ等の一部に固定支持されている。
【００７７】
そして、上述した仮設の屋上配管路Ｌ１及び仮設の縦配管路Ｌ２は、既設の給水配管路の更新工事や補修工事の後にハウジング形の管継手８を外すだけで各部材２〜７，１０を簡単且つ容易に分離することができ、用済み後の仮設の屋上配管路Ｌ１及び仮設の縦配管路Ｌ２の取り外しを容易に行えると共に、取り外し時に各部材２〜７，１０が損傷することが殆んどない。
【００７８】
以上にように構成された仮設配管ユニット１及びこれを用いた仮設配管路Ｌは、次のような優れた効果を奏することができる。
【００７９】
（１）仮設配管ユニット１や止水栓５等にそれぞれ受け口１４，２３′及び挿し口１５，２７′を設け、受け口１４，２３′に挿し口１５，２７′を気密状に挿着し、受け口１４，２３′及び挿し口１１５，２７′にハウジング形の管継手８を装着するだけで、仮設配管ユニット１同士の接続、仮設配管ユニット１と止水栓５等の接続を行えるため、仮設配管路Ｌの縦配管路Ｌ２を簡単且つ迅速に形成できて高能率で建物Ｂに敷設することができ、工期の短縮及びコストの低減を図れる。
（２）仮設配管ユニット１の長さが、建物Ｂの階高に合わせた長さに設定されているため、仮設配管ユニット１を建物Ｂの各階に一つずつ確実に配置することができ、仮設配管ユニット１の分岐口１６と各住戸の水道メーターＭ（又はメーターユニット）との接続を行い易くなる。
（３）仮設配管ユニット１の受け口１４と挿し口１５との間をＯリング１８によりシールするようにしているため、従来の仮設配管路のように環状のパッキンが管継手に噛み込んでパッキンのシール性が損なわれると言うことがなく、シール性に優れたものとなる。
（４）仮設配管ユニット１の受け口１４の受け筒部１４ａを大径に形成すると共に、受け筒部１４ａの内周縁部をテーパ面１４ｂに形成し、また、挿し筒部１５ａの外周縁部に面取り１５ｃを施しているため、受け口１４への挿し口１５の挿着を簡単且つ容易に行え、接続作業時間の短縮を図れる。
（５）ハウジング形の管継手８を外し、仮設配管ユニット１の挿し口１５を他の仮設配管ユニット１の受け口１４から引き抜くだけで仮設配管ユニット１を簡単に分離することができ、用済み後の仮設配管路Ｌの取り外しを容易に行えると共に、取り外し時に各仮設配管ユニット１及び管継手８等の各部材が損傷することが殆んどなく、その結果、仮設配管ユニット１及び管継手８等の各部材の再利用率が大幅に向上する。しかも、仮設配管ユニット１は、継手１７部分を除いてポリエチレン樹脂製であるため、耐久性に富み、仮設配管作業時の乱暴な取り扱いによっても、仮設配管ユニット１に傷みの出ることが少なく、再使用回数を増すことができ、経済的であり、また、素材のリサイクルがほぼ１００％可能で、資源節約に貢献できる。
（６）挿し口１５の挿し筒部１５ａの鍔部１５ｄの外側端面に分離用溝１５ｅを形成しているため、仮設配管ユニット１の受け口１４に他の仮設配管ユニット１の挿し口１５が強固に挿着されていても、前記分離用溝１５ｅにマイナスドライバー等の工具を差し込むことにより受け口１４と挿し口１５を簡単に分離することができる。
（７）ハウジング形の管継手８の半円状ハウジング１９′に形成した二股状の締め付け片１９ｂのナット２２ｂに係止される面を、外方向へ向うに従って上り傾斜状の傾斜面１９ｃに形成しているため、ナット２２ｂがボルト２２ａに対して緩み、ボルト２２ａが二股状の締め付け片１９ｂ間から抜ける方向へ回動しようとしても、ナット２２ｂが締め付け片１９ｂの傾斜面１９ｃに係止されてボルト２２ａが回動するのを防止することができ、その結果、環状ハウジング１９が開放されて仮設配管ユニット１から外れるのを阻止することができる。
（８）仮設配管ユニット１に接続される止水栓５が、仮設配管ユニット１の挿し口１５に気密状態で着脱自在に挿着される筒状の受け口２３′と、他の仮設配管ユニット１の受け口１４に気密状態で着脱自在に挿着される筒状の挿し口２７′とを備えているため、仮設配管ユニット１に簡単且つ迅速に接続することができる。
（９）仮設配管ユニット１の分岐口１６の先端部に設けた継手１７と建物Ｂ内の各住戸の水道メーターＭやメーターユニットに着脱自在に接続される可撓性の給水ホース１１を備えているため、仮設配管ユニット１と水道メーターＭ等との接続を簡単且つ迅速に行える。
【００８０】
図１８は本発明の実施形態に係る仮設配管ユニット１を用いた仮設配管路Ｌをマンション等の集合住宅に設けた他の例を示す配管割図であり、前記仮設配管路Ｌは、集合住宅の建物Ｂ内に敷設されている既設の給水配管路（上水道管路）の更新工事や補修工事を行う際に、建物Ｂに敷設して長時間断水することなく給水配管路の更新工事や補修工事を行えるようにしたものであり、ポンプ又はタンク（何れも図示省略）に接続されている既設の水道管Ｗに接続されて建物Ｂの屋上に配設された仮設の屋上配管路Ｌ１と、建物Ｂのパイプシャフトやベランダの外側等に配設され、仮設の屋上配管路Ｌ１に接続されて建物Ｂの屋上から最下部のフロアへ到る仮設の縦配管路Ｌ２と、建物Ｂの各フロアごとに横向きに配設され、仮設の縦配管路Ｌ２に接続された複数の仮設の横配管路Ｌ３とを備えている。
【００８１】
前記仮設の屋上配管路Ｌ１は、直管２、エルボ３、チーズ４、止水栓５及びハウジング形の管継手８等を備えており、前記各部材２，３，４，５を図１８に示すようにハウジング形の管継手で８で順次接続することにより形成されている。この仮設の屋上配管路Ｌ１は、フランジ短管３２を介してポンプ又はタンク（何れも図示省略）に接続されている既設の水道管Ｗに接続されており、既設の水道管Ｗから水道水が流入するようになっている。
【００８２】
また、前記仮設の縦配管路Ｌ２は、仮設配管ユニット１、直管２、止水栓５、ハウジング形の管継手８、エンドキャップ１０等を備えており、前記各部材１，２，５，７，１０を図１８に示すようにハウジング形の管継手８で直列状に接続することにより形成されている。この仮設の縦配管路Ｌ２は、最上位に位置する直管２がハウジング形の管継手８を介して仮設の屋上配管路Ｌ１のエルボ３に接続されており、仮設の屋上配管路Ｌ１から水道水が流入するようになっている。
【００８３】
更に、前記仮設の各横配管路Ｌ３は、直管２、チーズ３、止水栓５、フレキシブル継手６、レジューサー７、エンドキャップ１０等を備えており、前記各部材２，３，５，６，７を図１８に示すようにハウジング形の管継手８で順次接続することにより形成されている。この仮設の横配管路Ｌ３は、止水栓５又はレジューサー７がハウジング形の管継手８を介して仮設の縦配管路Ｌ２のチーズ１３に接続されていると共に、各横配管路Ｌ３の各チーズ３が給水ホース１１を介して水道メーターＭ（又はメーターユニット）に接続されており、仮設の縦配管路Ｌ２から水道水が流入するようになっている。
【００８４】
図１８に示す仮設の屋上配管路Ｌ１、仮設の縦配管路Ｌ２及び仮設の横配管路Ｌ３の各部材は、図１に示す仮設の屋上配管路Ｌ１及び仮設の縦配管路Ｌ２の各部材と同様構造に構成されているため、ここではその詳細な説明を省略する。
【００８５】
図１８に示す仮設配管路Ｌも、図１に示す仮設配管路Ｌと同様の作用効果を奏することができる。
【００８６】
尚、図示していないが、図１及び図１８に示す仮設の屋上配管路Ｌ１、仮設の縦配管路Ｌ２及び仮設の横配管路Ｌ３をそれぞれ形成する各部材には、少なくとも品目名、コード、Ｎｏ．サイズ、作成年月日、バーコード等を表示したラベル（図示省略）又は少なくとも品目名、コード、Ｎｏ．サイズ、作成年月日、バーコード等を表示すると共に、外部の読取装置とデータ通信可能なＩＣチップを有するラベル（図示省略）が設けられており、電子化による入出庫管理を行えるようになっている。このラベルは、前記各部材の一ヶ所又は数個所に貼り付け又は紐状部材等により取り付けられている。また、バーコードには、情報量の多い二次元バーコード（ＱＲコード（登録商標））が使用されている。
【００８７】
このように、各部材にラベルを設ければ、ラベルの情報を読み取ることにより仮設配管ユニット１及び管継手８等の管理が徹底され、過不足や誤出庫を生じるということがなく、また、撤去後もラベルを読み取ってデータ化することにより使用回数・使用期間、使用状況等を把握することができ、品質管理が向上することになる。
【産業上の利用可能性】
【００８８】
本発明は、建物Ｂ内に敷設した上水道管の更新工事に用いるようにしたが、これに限らず、建物Ｂ内に敷設したガス管や排水管等の更新工事や補修工事等にも利用できるものである。
【符号の説明】
【００８９】
１は仮設配管ユニット、８はハウジング形の管継手、１２は管本体、１３チーズ、１３ａはＴ型の突出部、１４は受け口、１４ａは受け筒部、１４ｂはテーパ面、１４ｃは鍔部、１５は挿し口、１５ａは挿し筒部、１５ｃは面取り、１５ｄは鍔部、１６は分岐口、１７は継手、１８はＯリング、１９は環状ハウジング、１９′は半円状ハウジング、１９ａは連結片、１９ｂは締め付け片、１９ｃは傾斜面、２０は連結ピン、２２は緊締具、２２ａはボルト、２２ｂはナット、２３′は受け口、２７′は挿し口、Ｂは建物、Ｆは突合せ融着、Ｌは仮設配管路、Ｌ２は縦配管路、Ｍは水道メーター。
【図１】
2018062944.tif 000003
【図２】
2018062944.tif 000004
【図３】
2018062944.tif 000005
【図４】
2018062944.tif 000006
【図５】
2018062944.tif 000007
【図６】
2018062944.tif 000008
【図７】
2018062944.tif 000009
【図８】
2018062944.tif 000010
【図９】
2018062944.tif 000011
【図１０】
2018062944.tif 000012
【図１１】
2018062944.tif 000013
【図１２】
2018062944.tif 000014
【図１３】
2018062944.tif 000015
【図１４】
2018062944.tif 000016
【図１５】
2018062944.tif 000017
【図１６】
2018062944.tif 000018
【図１７】
2018062944.tif 000019
【図１８】
2018062944.tif 000020